【手続補正書】
【提出日】平成31年3月7日(2019.3.7)
【手続補正１】
【補正対象書類名】特許請求の範囲
【補正対象項目名】全文
【補正方法】変更
【補正の内容】
【特許請求の範囲】
【請求項１】
モータと、
前記モータにより駆動されるスピンドルと、
前記スピンドルにボールを介して保持されるハンマと、
前記ハンマを付勢するスプリングと、を有し、
前記スピンドルと前記ハンマとが干渉しないように、前記ハンマの後端部に逃げ部が設けられている
ことを特徴とするインパクト工具。
【請求項２】
前記ハンマは、その後面から前方へ窪む窪みを有しており、
前記逃げ部は、前記窪みの開口部に配置されている
ことを特徴とする請求項１に記載のインパクト工具。
【請求項３】
前記スピンドルに保持される遊星歯車と、
前記遊星歯車と噛み合う内歯ギヤと、を有し、
前記スピンドルは、突起を有しており、
前記突起は、前記内歯ギヤの内側に入っている
ことを特徴とする請求項１又は請求項２に記載のインパクト工具。
【請求項４】
モータと、
前記モータにより駆動されるスピンドルと、
前記スピンドルにボールを介して保持されるハンマと、
前記ハンマを付勢するスプリングと、
前記スプリングを受けるバネ受け突起部と、を有し、
前記バネ受け突起部と前記ハンマとが干渉しないように、前記ハンマの後端部に逃げ部が設けられている
ことを特徴とするインパクト工具。
【請求項５】
前記バネ受け突起部は、前記スピンドルと一体に形成されている
ことを特徴とする請求項４に記載のインパクト工具。
【請求項６】
前記バネ受け突起部は、リング状であり、前記スプリングの外方に配置されている
ことを特徴とする請求項４又は請求項５に記載のインパクト工具。
【請求項７】
前記スピンドルに保持されるピンと、
前記ピンに保持される遊星歯車と、
前記遊星歯車と噛み合う内歯ギヤと、を有し、
前記バネ受け突起部は、前記ピンの外方に配置されている
ことを特徴とする請求項４ないし請求項６に記載のインパクト工具。
【請求項８】
前記スプリングの後方に、前記ピンが配置されている
ことを特徴とする請求項７に記載のインパクト工具。
【手続補正２】
【補正対象書類名】明細書
【補正対象項目名】０００６
【補正方法】変更
【補正の内容】
【０００６】
請求項１に記載の発明は、モータと、前記モータにより駆動されるスピンドルと、前記スピンドルにボールを介して保持されるハンマと、前記ハンマを付勢するスプリングと、を有し、前記スピンドルと前記ハンマとが干渉しないように、前記ハンマの後端部に逃げ部が設けられていることを特徴とするものである。
請求項２に記載の発明は、上記発明において、前記ハンマは、その後面から前方へ窪む窪みを有しており、前記逃げ部は、前記窪みの開口部に配置されていることを特徴とするものである。
請求項３に記載の発明は、上記発明において、前記スピンドルに保持される遊星歯車と、前記遊星歯車と噛み合う内歯ギヤと、を有し、前記スピンドルは、突起を有しており、前記突起は、前記内歯ギヤの内側に入っていることを特徴とするものである。
請求項４に記載の発明は、モータと、前記モータにより駆動されるスピンドルと、前記スピンドルにボールを介して保持されるハンマと、前記ハンマを付勢するスプリングと、前記スプリングを受けるバネ受け突起部と、を有し、前記バネ受け突起部と前記ハンマとが干渉しないように、前記ハンマの後端部に逃げ部が設けられていることを特徴とするものである。
請求項５に記載の発明は、上記発明において、前記バネ受け突起部は、前記スピンドルと一体に形成されていることを特徴とするものである。
請求項６に記載の発明は、上記発明において、前記バネ受け突起部は、リング状であり、前記スプリングの外方に配置されていることを特徴とするものである。
請求項７に記載の発明は、上記発明において、前記スピンドルに保持されるピンと、前記ピンに保持される遊星歯車と、前記遊星歯車と噛み合う内歯ギヤと、を有し、前記バネ受け突起部は、前記ピンの外方に配置されていることを特徴とするものである。
請求項８に記載の発明は、上記発明において、前記スプリングの後方に、前記ピンが配置されていることを特徴とするものである。
【手続補正３】
【補正対象書類名】明細書
【補正対象項目名】０００８
【補正方法】変更
【補正の内容】
【０００８】
関連する発明は、上記発明において、前記スピンドルに係合部を設け、前記係合部に係合する被係合部を有し、遊星歯車を保持するピンを設け、前記係合部及び前記被係合部により、前記ピンがハンマ側へと移動不能になることを特徴とするものであり、上記効果に加えて、従来のピン押え用のワッシャを省略することで、部品点数を削減し、モータハウジングの後端からアンビルの前端までの長さを短縮化することができる、という効果を奏する。
関連する発明は、上記発明において、前記ハンマを付勢するためのコイルスプリングを設け、前記係合部及び前記被係合部は、前記コイルスプリング及び前記ハンマと干渉しない位置に配置されていることを特徴とするものであり、上記効果に加えて、打撃の影響を低減して耐久性に優れた状態でモータハウジングの後端からアンビルの前端までの長さを短縮化することができる、という効果を奏する。
関連する発明は、上記発明において、前記ピンは、遊星歯車を保持する大径部と、前記大径部よりも小径な小径部とを有し、前記係合部は、前記小径部が嵌合する凹部であることを特徴とするものであり、上記効果に加えて、モータハウジングの後端からアンビルの前端までの長さの短縮化のための上記係合部をシンプルに設けることができる、という効果を奏する。
関連する発明は、上記発明において、前記スピンドルに前記コイルスプリングを保持するためのバネ受け突起部を設け、前記ハンマの前記バネ受け突起部と対向する位置を凹ませたことを特徴とするものであり、上記効果に加えて、スプリングをスピンドルで直接受けることとしながらハンマの前後移動可能距離を保持し、ハンマの動作性能を維持したままモータハウジングの後端からアンビルの前端までの長さを短縮化することができる、という効果を奏する。
関連する発明は、上記発明において、前記モータの回転軸を保持可能な軸受を設け、前記軸受を保持し、前記ハンマケースに保持される軸受保持壁を設け、前記モータハウジングに第１の凸部を設け、前記軸受保持壁に第２の凸部を設け、前記第１の凸部の後方に前記第２の凸部を配置し、前記第２の凸部を、前記軸受保持壁の後部であって、前記軸受の径方向外側に配置したことを特徴とするものであり、上記効果に加えて、軸受保持壁を強度充分に固定しながらモータハウジングの後端から前記アンビルの前端までの長さを短縮化することができる、という効果を奏する。
関連する発明は、上記発明において、前記遊星歯車と噛み合う内歯ギヤを設け、前記内歯ギヤを、前記ハンマケースと前方側で突き当たるように構成し、前記軸受保持壁に、前記内歯ギヤを回転不能に設け、前記内歯ギヤの前記ハンマと対向する位置を凹ませたことを特徴とするものであり、上記効果に加えて、ハンマの前後移動可能距離を保持してハンマの動作性能を維持したまま、ハンマを内歯ギアにより近付けることでモータハウジングの後端からアンビルの前端までの長さを短縮化することができる、という効果を奏する。
関連する発明は、上記発明において、前記ハンマケースの前部に、前記アンビルを保持するための軸受を配置し、前記アンビルと前記ハンマケースの間にワッシャを配置し、前記ハンマケースから前記アンビル側に延びるように突起部を設け、前記突起部を前記ワッシャの内径側に配置したことを特徴とするものであり、上記効果に加えて、アンビルの軸受の受け部（ローラ）の前後長さを維持してアンビルの保持を充分なものとしながら、軸受の前後長さ（ひいてはモータハウジングの後端からアンビルの前端までの長さ）を短縮化することができ、又アンビルワッシャの取り付け長さ（圧入長さ）を充分に確保することができる、という効果を奏する。
又、関連する発明は、モータと、前記モータを収容するハウジングと、前記モータにより回転され、前記モータの前方に配置されるスピンドルと、前記スピンドルに保持されるハンマと、前記ハンマにより打撃され、前記ハンマの前方に配置されるアンビルと、前記ハンマを収容するハンマケースと、前記ハンマケースの後部を閉塞し、軸受を保持するベアリングリテーナと、を有し、前記ベアリングリテーナは、前記軸受の径方向外側に配置される第１の突起を有し、前記ハウジングは、前記第１の突起の前方に配置される第２の突起を有することを特徴とするものである。
関連する発明は、上記発明において、前記第１の突起及び前記第２の突起は、それぞれリング状に形成されていることを特徴とするものである。
関連する発明は、ステータと、前記ステータに対して回転可能なロータと、を有するモータと、前記モータを収容するハウジングと、前記モータにより回転され、前記モータの前方に配置されるスピンドルと、前記スピンドルに保持されるハンマと、前記ハンマにより打撃され、前記ハンマの前方に配置されるアンビルと、前記ハンマを収容するハンマケースと、前記ハンマケースの後部を閉塞し、前記ハウジングと係合し、軸受を保持するベアリングリテーナと、を有し、前記ステータの前部は、前記ベアリングリテーナの後部の径方向外方に配置されることを特徴とするものである。
関連する発明は、上記発明において、前記ステータの前部は、絶縁部材の小突起であることを特徴とするものである。
関連する発明は、モータと、前記モータを収容するハウジングと、前記モータにより回転され、前記モータの前方に配置されるスピンドルと、前記スピンドルに保持されるハンマと、前記ハンマにより打撃され、前記ハンマの前方に配置されるアンビルと、前記ハンマを収容するハンマケースと、前記ハンマケースの後部を閉塞し、前記ハウジングと係合し、軸受を保持するベアリングリテーナと、を有し、前記ベアリングリテーナは、その後面に、複数の凹み部と、リブとを有することを特徴とするものである。
関連する発明は、上記発明において、複数の前記凹み部は、周方向に並ぶ状態で形成されており、前記リブは、前記凹み部の間に形成されていることを特徴とするものである。
関連する発明は、モータと、前記モータを収容するハウジングと、前記モータにより回転され、前記モータの前方に配置されるスピンドルと、前記スピンドルに保持されるハンマと、前記ハンマにより打撃され、前記ハンマの前方に配置されるアンビルと、前記ハンマを収容するハンマケースと、前記ハンマケースの後部を閉塞し、前記ハウジングと係合し、軸受を保持するベアリングリテーナと、を有し、前記ベアリングリテーナの前部に、前方に突出する突出部を設けたことを特徴とするものである。
関連する発明は、上記発明において、前記突出部及び前記ハンマケースの後端部の一方に雄ネジ山が形成されていると共に、他方に当該雄ネジ山と噛み合う雄ネジ溝が形成されていることを特徴とするものである。
関連する発明は、上記発明において、前記ベアリングリテーナの後部は、六角柱状に後方へ窪んだ窪み部であることを特徴とするものである。
関連する発明は、上記発明において、前記ベアリングリテーナは、金属製であることを特徴とするものである。